(57)【要約】【課題】可撓性及び耐久性に優れた無端ベルトが提供され、且つ簡易な構成で無端ベルトの発熱層の発熱量分布が調整される加熱装置を提供する。【解決手段】加熱装置３１によれば、定着ベルト２０を、発熱層２０Ｂを含む構成とし、この発熱層２０Ｂを、電磁誘導コイル２６Ａによって発生した磁界が侵入可能な厚さである表皮深さよりも薄く、且つ該表皮深さより薄い範囲内で層厚の異なる複数の領域を有するように構成することで、印加される磁界の周波数に対する発熱量特性の異なる複数の領域を形成する。【選択図】図６
2010182572.tif 000002
【特許請求の範囲】
【請求項１】
複数の周波数の磁界を発生する磁界発生手段と、
層厚が表皮深さより薄く、前記磁界発生手段により発生された磁界の電磁誘導作用により発熱し、且つ該磁界の周波数に対する発熱量特性の異なる複数の領域を有する発熱層を備えた無端ベルトと、
前記磁界発生手段から発生される磁界の周波数を制御することにより、前記発熱層の前記複数の領域の内の最も発熱量が大きくなるように調整される領域を制御する制御手段と、
を備えた加熱装置。
【請求項２】
最も発熱量が大きくなるように調整される対象となる領域を示す領域情報を取得する取得手段を備え、
前記制御手段は、前記発熱層の各領域の磁界の周波数に対する発熱量特性に基づいて、前記取得手段によって取得した領域情報の領域が前記発熱層の複数の領域の内で最大の発熱量を示すときの周波数を導出し、導出した周波数の磁界を発生するように前記磁界発生手段を制御することによって、前記発熱層の前記複数の領域の内の最大発熱量となるように調整される領域を制御することを特徴とする請求項１に記載の加熱装置。
【請求項３】
前記発熱層は、層厚に応じて前記磁界の周波数に対する発熱量特性が異なることを特徴とする請求項１または請求項２に記載の加熱装置。
【請求項４】
前記発熱層は、非磁性材料から構成される請求項１〜請求項３の何れか１項に記載の加熱装置。
【請求項５】
前記発熱層は、前記無端ベルトの幅方向に前記磁界の周波数に対する発熱量特性の異なる複数の領域を有することを特徴とする請求項１〜請求項４の何れか１項に記載の加熱装置。
【請求項６】
請求項１〜請求項５の何れか１項に記載の加熱装置と、
前記無端ベルトの外周面に接触して配置され、該無端ベルトとの間を通過する記録媒体上のトナーを該記録媒体へ定着させる加圧手段と、
備えた定着装置。
【請求項７】
前記最も発熱量が大きくなるように調整される領域の発熱量が、前記録媒体上のトナーを該記録媒体へ定着させうる発熱量であることを特徴とする請求項６に記載の定着装置。
【請求項８】
像保持体と、
前記像保持体上に静電潜像を形成する潜像形成手段と、
前記像保持体上の前記静電潜像をトナーにより現像してトナー像を形成する現像手段と、
前記像保持体上のトナー像を記録媒体に転写する転写手段と、
前記記録媒体に転写された前記トナー像を該記録媒体に定着する請求項６または請求項７に記載の定着装置と、
を備えた画像形成装置。
【発明の詳細な説明】
【技術分野】
【０００１】
本発明は、加熱装置、定着装置、及び画像形成装置に関する。
【背景技術】
【０００２】
従来より、加熱装置として、通電により磁界を発生するコイルと、磁界の電磁誘導作用により渦電流が生じて発熱する発熱体と、を用いた電磁誘導加熱方式が知られている。
この電磁誘導加熱方式を用いた加熱装置は、画像形成装置において記録媒体上に転写されたトナー像を該記録媒体上に定着させるための定着装置等に適用されている。
【０００３】
このような電磁誘導加熱方式を定着装置に適用した技術としては、例えば、特許文献１〜３等が知られている。
【０００４】
特許文献１では、加熱部材を誘導加熱し、加圧部材との間で被加熱材を搬送する方向に対して交差する幅方向に厚さの異なる領域を有する導電性の発熱層と、交番磁場を発生させる磁場発生部と、交番磁場の周波数を切り替えて厚さの異なる領域毎に発熱層における誘導加熱を制御している。詳細には、特許文献１では、表皮深さをまたがって層厚の異なる（表皮深さを超える層厚、及び表皮深さ以下の層厚）複数の領域を有する導電性の発熱層に、交番磁場を与えて加熱部材を誘導加熱し、この交番磁場の周波数を切り替えて厚さの異なる領域毎に発熱層における誘導加熱を制御している。
【０００５】
特許文献２では、発熱部材の発熱層として、体積抵抗率を層厚で除して求まる渦電流負荷が幅方向によって変化するように形成された発熱層を用い、端部側の発熱量が大きくなるように調整することで、端部の発熱量低下を抑制し、磁界発生装置によって加熱される発熱層の軸方向の温度分布の均一化を図っている。
【０００６】
特許文献３では、導電性を有する筒状の導電層を備える加熱ローラについて、導電層の軸線方向両端部付近の層厚を、該両端部以外の領域の層厚より薄くなるように形成し、該加熱ローラの導電層に交番磁界を印加して発熱させることで、発熱層の厚さの差による熱量量差を利用して加熱ローラの温度の均一化を図っている。
【特許文献１】特開２００６−１１４２８３号公報
【特許文献２】特開２００７−１６５２８８号公報
【特許文献３】特開２００２−２６０８３６号公報
【発明の開示】
【発明が解決しようとする課題】
【０００７】
上記従来技術によれば、何れも層厚が表皮深さより厚い発熱層の発熱量を調整することで軸方向の温度分布の調整が図れているが、発熱層を有する部材は可撓性や耐久性が要求され、加熱装置としては簡易な構成であることが要求される事が多く、更なる改善が望まれていた。
【０００８】
本発明は、可撓性及び耐久性に優れた無端ベルトが提供され、且つ簡易な構成で無端ベルトの発熱層の発熱量分布が調整される加熱装置を提供することを目的とする。
【課題を解決するための手段】
【０００９】
上記課題は、以下の手段により解決される。即ち、
請求項１に係る発明は、複数の周波数の磁界を発生する磁界発生手段と、層厚が表皮深さより薄く、前記磁界発生手段により発生された磁界の電磁誘導作用により発熱し、且つ該磁界の周波数に対する発熱量特性の異なる複数の領域を有する発熱層を備えた無端ベルトと、前記磁界発生手段から発生される磁界の周波数を制御することにより、前記発熱層の前記複数の領域の内の最も発熱量が大きくなるように調整される領域を制御する制御手段と、を備えた加熱装置である。
【００１０】
請求項２に係る発明は、最も発熱量が大きくなるように調整される対象となる領域を示す領域情報を取得する取得手段を備え、前記制御手段は、前記発熱層の各領域の磁界の周波数に対する発熱量特性に基づいて、前記取得手段によって取得した領域情報の領域が前記発熱層の複数の領域の内で最大の発熱量を示すときの周波数を導出し、導出した周波数の磁界を発生するように前記磁界発生手段を制御することによって、前記発熱層の前記複数の領域の内の最大発熱量となるように調整される領域を制御することを特徴とする請求項１に記載の加熱装置である。
【００１１】
請求項３に係る発明は、前記発熱層は、層厚に応じて前記磁界の周波数に対する発熱量特性が異なることを特徴とする請求項１または請求項２に記載の加熱装置である。
【００１２】
請求項４に係る発明は、前記発熱層は、非磁性材料から構成される請求項１〜請求項３の何れか１項に記載の加熱装置である。
【００１３】
請求項５に係る発明は、前記発熱層は、前記無端ベルトの幅方向に前記磁界の周波数に対する発熱量特性の異なる複数の領域を有することを特徴とする請求項１〜請求項４の何れか１項に記載の加熱装置である。
【００１４】
請求項６に係る発明は、請求項１〜請求項５の何れか１項に記載の加熱装置と、前記無端ベルトの外周面に接触して配置され、該無端ベルトとの間を通過する記録媒体上のトナーを該記録媒体へ定着させる加圧手段と、備えた定着装置である。
【００１５】
請求項７に係る発明は、前記最も発熱量が大きくなるように調整される領域の発熱量が、前記録媒体上のトナーを該記録媒体へ定着させうる発熱量であることを特徴とする請求項６に記載の定着装置である。
【００１６】
請求項８に係る発明は、像保持体と、前記像保持体上に静電潜像を形成する潜像形成手段と、前記像保持体上の前記静電潜像をトナーにより現像してトナー像を形成する現像手段と、前記像保持体上のトナー像を記録媒体に転写する転写手段と、前記記録媒体に転写された前記トナー像を該記録媒体に定着する請求項６または請求項７に記載の定着装置と、を備えた画像形成装置である。
【発明の効果】
【００１７】
請求項１に記載の加熱装置によれば、発熱層として層厚が表皮深さより厚い層を用いて発熱層の発熱制御を行う場合に比して、可撓性及び耐久性に優れた無端ベルトが提供され、且つ簡易な構成で無端ベルトの発熱層の発熱量分布が調整される、という効果を奏する。
【００１８】
請求項２に記載の加熱装置によれば、取得手段を備えない場合に比べて、任意の領域が最も発熱量の大きい領域として設定される、という効果を奏する。
【００１９】
請求項３に記載の加熱装置によれば、層厚以外の構成で発熱量分布を調整する場合に比して、より簡易な構成で無端ベルトの発熱層の発熱量分布が調整される、という効果を奏す。
【００２０】
請求項４に記載の加熱装置によれば、非磁性材料を用いない場合に比べて、必要な発熱良が効率よく得られる、という効果を奏する。
【００２１】
請求項５に記載の加熱装置によれば、軸方向とは異なる方向に発熱量特性の異なる複数の領域を設けた場合に比して、加熱装置によって加熱される被加熱部材が接する領域が高率良く加熱される、という効果を奏する。
【００２２】
請求項６に記載の定着装置によれば、本発明の加熱装置を用いない場合に比して、可撓性及び耐久性に優れた無端ベルトが提供され、且つ簡易な構成で無端ベルトの発熱層の発熱量分布が調整される、という効果を奏する。
【００２３】
請求項７に記載の定着装置によれば、最も発熱量が大きくなるように調整される領域が、トナーを定着させうる発熱量とは異なる場合に比べて、効率よくトナーが定着される、という効果を奏する。
【００２４】
請求項８に記載の画像形成装置によれば、本発明の定着装置を用いない場合に比して、定着装置において可撓性及び耐久性に優れた無端ベルトが提供され、且つ簡易な構成で無端ベルトの発熱層の発熱量分布が調整される、という効果を奏する。
【発明を実施するための最良の形態】
【００２５】
以下、本実施の形態の加熱装置、定着装置、画像形成装置の一の実施の形態について、図面を用いて説明する。
【００２６】
図１に示されるように、本実施の形態の画像形成装置４０は、像保持体としての感光体ドラム６０を備えている。この感光体ドラム６０の周囲には、該感光体ドラム６０の外周に沿って矢印Ａ方向に順に、帯電装置６２、レーザースキャナ６４及びミラー６５、現像装置６６、中間転写体６８、クリーニング装置７４、及び除電装置７６が設けられている。
【００２７】
帯電装置６２は、感光体ドラム６０の表面を帯電させる。帯電装置６２によって帯電された感光体ドラム６０には、レーザースキャナ６４によってミラー６５を介して画像信号に応じたレーザ光が照射されることで形成対象の画像に応じた潜像が形成される。この潜像は、現像装置６６によってトナーを含む現像剤により現像される。
【００２８】
現像装置６６は、シアン、マゼンタ、イエロー、ブラックの４色のトナーをそれぞれ収容した各色の現像器（不図示）を備えており、現像装置６６が回転することにより、感光体ドラム６０の表面に形成された潜像に各色のトナーが付与され、トナー像が形成される。
【００２９】
これにより、感光体ドラム６０上には、潜像に応じたトナー像が形成される。感光体ドラム６０上に形成されたトナー像は、中間転写体６８へ転写された後に、転写ロール７０によって記録媒体８４へ転写される。中間転写体６８の外周面と転写ロール７０表面とは圧接して設けられており、この圧接部を記録媒体８４が矢印Ｄ方向に挿通されて該圧接部を記録媒体が通過することで、中間転写体６８表面に保持されたトナー像が、記録媒体８４の表面に転写される。記録媒体８４に転写されたトナー像は、定着装置２８によって記録媒体８４上に定着される。これによって記録媒体８４上に画像が形成される。
【００３０】
クリーニング装置７４は、感光体ドラム６０の表面に付着した各種付着物を除去する。除電装置７６は、感光体ドラム６０の表面を除電する。
【００３１】
また、画像形成装置４０は、給紙装置７７、及び装置各部を制御する制御部３３を備えている。給紙装置７７は、記録媒体を収納する給紙ユニット７８、記録媒体を順次送り出す給紙ローラ８０、送り出された記録媒体を一枚ずつ搬送するレジストローラ８２、及び記録媒体を案内する記録媒体ガイド（図示省略）を含んで構成されている。
画像の形成された記録媒体８４は、矢印Ｄ方向に搬送され、画像形成装置４０の外部に排出される。
【００３２】
中間転写体６８と転写ロール７０との圧接部への給紙は、給紙ユニット７８に収納された記録媒体が、給紙ユニット７８に内蔵された不図示の記録媒体押し上げ手段により給紙ローラ８０に接触する位置まで押し上げられ、記録媒体が給紙ローラ８０に接触した時点で、給紙ローラ８０およびレジストローラ８２が回転することにより記録媒体ガイドに沿って矢印Ｄ方向に搬送されることにより行われる。
【００３３】
上記画像形成装置４０に設けられた装置各部は、制御部３３に信号授受可能に接続されており、制御部３３の制御によって該装置各部が制御される。
【００３４】
定着装置２８は、詳細は後述するが、加熱装置３１、及び加圧ロール２２を含んで構成されている。
【００３５】
加熱装置３１は、定着ベルト２０、定着ベルト２０を加圧する加圧パッド２４、入力された信号に応じた周波数の磁界を発生する磁界発生装置２６、及び加熱装置３１に設けられた装置各部を制御するメインコントローラ２７を含んで構成されている。
【００３６】
なお、画像形成装置４０が、本発明の画像形成装置に相当し、定着装置２８が、本発明の定着装置に相当し、加熱装置３１が、本発明の加熱装置に相当する。また、メインコントローラ２７の後述する制御部２７Ａが、本発明の加熱装置の制御手段に相当し、定着ベルト２０が、本発明の加熱装置の無端ベルトに相当し、磁界発生装置２６が、磁界発生手段に相当する。
【００３７】
定着ベルト２０及び加圧ロール２２は、それぞれ、互いに逆方向（図１中、矢印Ｖ１方向及び矢印Ｖ２方向）に連動して回転される。また、定着ベルト２０の内周面には、加圧パッド２４が設けられている。加圧パッド２４は、定着ベルト２０の内周面側から加圧ロール２２に向かう方向に定着ベルト２０を押圧することで、定着ベルト２０と加圧ロール２２との外周面を接触させてニップを形成するように設けられている。ニップ部は、矢印Ｄ（図１参照）方向に対して、中間転写体６８側に加圧ロール２２が配置され、転写ロール７０側に定着ベルト２０が配置されることにより形成される。なお、加圧パッド２４に対して、加圧ロール２２と反対側に、定着ベルト２０の表面に対向し且つ近接するように磁界発生装置２６が設けられている。
【００３８】
なお、本実施の形態では、加熱装置３１には、加熱装置３１の装置各部を制御するためのメインコントローラ２７が、画像形成装置４０の制御部３３とは別体として設けられている場合を説明するが、メインコントローラ２７を制御部３３と一体的に設けた構成としてもよい。
【００３９】
メインコントローラ２７は、加熱装置３１に設けられた装置各部を制御するための制御部２７Ａと、画像形成装置４０の制御部３３から入力される各種信号を入出力するための入出力部２７Ｂと、各種情報を記憶するメモリ２７Ｃを含んで構成されている。入出力部２７Ｂ及びメモリ２７Ｃは制御部２７Ａに信号授受可能に接続されている。
【００４０】
入出力部２７Ｂは、制御部３３から、画像形成装置４０で画像を形成する対象の記録媒体の大きさ等を示す用紙種別情報や、各種指示信号等が入力されると共に、制御部３３へ各種データを出力する。
【００４１】
制御部２７Ａは、入出力部２７Ｂ及び加熱装置３１に設けられた装置各部に信号授受可能に接続されており、加熱装置３１の装置各部を制御する。
【００４２】
磁界発生装置２６は、電磁誘導コイル（励磁コイル）２６Ａと、制御部２７Ａから入力された周波数信号の周波数の磁界が形成されるように電磁誘導コイル２６Ａへ交流電流を供給する発熱駆動部２６Ｂと、を含んで構成されている。発熱駆動部２６Ｂは、制御部２７Ａに信号授受可能に接続されている。この発熱駆動部２６Ｂによって、制御部２７Ａから入力された信号に応じた周波数の磁界が形成されるように電磁誘導コイル２６Ａへ交流電流が供給されることで、電磁誘導コイル２６Ａにより該周波数の磁界が形成される。
【００４３】
定着ベルト２０は、図３に示すように、内周面側から外周面側に向かって、基層２０Ａ、発熱層２０Ｂ、弾性層２０Ｃ、及び離型層２０Ｄが積層された構成とされている。
【００４４】
なお、本実施の形態では、定着ベルト２０は、基層２０Ａ、発熱層２０Ｂ、弾性層２０Ｃ、及び離型層２０Ｄが積層された４層である場合を説明するが、少なくとも発熱層２０Ｂが設けられた構成であればよく、このような構成に限られない。
【００４５】
基層２０Ａとしては、薄い発熱層２０Ｂを支持する強度を有し、耐熱性があり、磁界の作用により発熱しないか、又は発熱しにくい材料が適宜選択される。
例えば、厚みが１０μｍ以上１００μｍ以下（好ましくは３０μｍ以上８０μｍ以下）の金属ベルト（非磁性金属として例えば非磁性ステンレススチール）や、Ｆｅ、Ｎｉ、Ｃｏ、又はこれらの合金Ｆｅ−Ｎｉ−Ｃｏ、Ｆｅ−Ｃｒ−Ｃｏ等からなる金属材料で構成されたベルトや、厚みが１０μｍ以上１００μｍ以下の樹脂ベルト（例えばポリイミドベルト）等が挙げられる。
【００４６】
弾性層２０Ｃは、優れた弾性と耐熱性が得られる等の観点から、シリコン系ゴム、又はフッ素系ゴムが用いられ、本実施形態ではシリコーンゴムを用いている。また、本実施形態では、弾性層２０Ｃの厚さを２００μｍとしている。なお、弾性層２０Ｃの厚さは、１００μｍ以上６００μｍ以下の中で決定することが好ましい。
【００４７】
離型層２０Ｄは、記録媒体８４上で溶融されたトナーＴとの接着力を弱めて、記録媒体８４を定着ベルト１０２から剥離し易くするために設けられている。優れた表面離型性を得るためには、離型層２０Ｄとして、フッ素樹脂、又は、シリコーン樹脂が用いられ、本実施形態ではＰＦＡ（四フッ化エチレン・パーフルオロアルコキシエチレン共重合樹脂）を用いている。離型層２０Ｄの厚さは３０μｍとしている。
【００４８】
発熱層２０Ｂは、上記磁界発生装置２６の電磁誘導コイル２６Ａによって発生した磁界を打ち消す磁界を生成するように渦電流が流れる電磁誘導作用によって発熱する金属材料で構成される。発熱層２０Ｂに用いられる金属材料としては、例えば、金、銀、銅、アルミニウム、亜鉛、錫、鉛、ビスマス、ベリリウム、アンチモン、又はこれらの合金の金属材料が用いられる。
【００４９】
本実施の形態では、発熱層２０Ｂとして非磁性金属（比透磁率が概ね１の金属）材料で、固有抵抗の低い金属材料を用いることが十分な可撓性と屈曲耐久性を有し、誘導加熱による十分な発熱量を効率よく得られるという理由から好ましい。非磁性金属材料としては、上記金属材料の内の銅、アルミ、銀、金が挙げられる。これらのなかでも、固有抵抗を２．７×１０−８Ωｃｍ以下に小さくして必要な発熱量を効率よく得ること、及び低コストの観点から、発熱層２０Ｂとしては銅が好適に用いられる。
【００５０】
この発熱層２０Ｂは、電磁誘導コイル２６Ａによって発生した磁界の磁束を貫通させる厚さに調整されている。具体的には、発熱層２０Ｂは、電磁誘導コイル２６Ａによって発生した磁界が侵入可能な厚さである表皮深さよりも薄く構成されている。発熱層２０Ｂの厚みが表皮深さよりも薄く構成されていることで、定着ベルト２０の良好な可撓性、繰り返し稼働されることによる割れ等の抑制による耐久性の向上、及びウォームアップ時間の短縮が図れるという効果が得られる。
【００５１】
ここで、表皮深さをδとし、発熱層２０Ｂの固有抵抗をρｎ、比透磁率をμｎ、励磁コイル１１０における信号（電流）の周波数をｆとすると、表皮深さδｎは（１）式で表される。
【００５２】
【数１】
2010182572.tif 000003
【００５３】
本実施の形態において用いられる発熱層２０Ｂは、上述のように磁界発生装置２６により発生した磁界の電磁誘導作用により発熱する。詳細には、制御部２７Ａの制御によって発熱駆動部２６Ｂが駆動されて電磁誘導コイル２６Ａに所定の周波数の交流電流が印加されると、電磁誘導コイル２６Ａの周囲では磁界が生成消滅を繰り返す。そして、この発生された所定の周波数の磁界中を、回転される定着ベルト２０の発熱層２０Ｂが横切ることで、該磁界の変化を妨げる磁界が生じるように発熱層２０Ｂに渦電流が発生する。そして、この渦電流の発生によって発熱層２０Ｂが発熱する。
【００５４】
なお、周波数は１０ｋＨｚ〜１００ｋＨｚが好ましい。周波数が１０ｋＨｚ未満であると、可聴域でノイズなどの騒音の問題が起こると共に、振動の影響を与え易い点で好ましくない。一方、周波数が１００ｋＨｚを超えると、装置自体での高周波損失のほか、放射ノイズやラインノイズが無視できなくなる点で好ましくない。
【００５５】
一例を挙げると、銅、ニッケルの固有抵抗をρｎ、比透磁率をμｎは、下記表１のようになる。
【００５６】
【表１】
2010182572.tif 000004
【００５７】
また、上記（１）式に従って求められる、各周波数ｆにおける表皮深さδｎは、下記表２のようになる。
【００５８】
【表２】
2010182572.tif 000005
【００５９】
ここで、本実施の形態で用いられる発熱層２０Ｂは、印加される磁界の周波数に対する発熱量特性の異なる複数の領域を有している。
【００６０】
この発熱量特性とは、発熱層２０Ｂに所定の周波数の磁界が作用したときの、該周波数と、該発熱層２０Ｂの発熱量と、の関係を示している。本実施の形態で用いられる発熱層２０Ｂは、厚みに応じた発熱量特性を示す。このため、発熱層２０Ｂの厚みが異なる領域間の発熱量特性は、異なる特性を示すこととなる。
【００６１】
このような厚みに応じて異なる発熱量特性を示す材料としては、上述の非磁性材料が挙げられる。このため、発熱層２０Ｂとしては、厚みに応じて異なる発熱量特性を示す材料から構成されればよく、例えば、上述の非磁性材料から構成されることが好ましい。
【００６２】
ここで、発熱層２０Ｂの材料として、非磁性材料を用いた場合には、図４に示すような発熱量特性が得られる。図４に示したのは、非磁性材料として銅を用いた場合の発熱量特性であり、層厚が２μｍの発熱層２０Ｂと、層厚が１５μｍの発熱層２０Ｂと、を用意して、各々に作用させる磁界の周波数を変化させたときの発熱量の変化（発熱良特性）を評価したものである。
【００６３】
図４に示すように、発熱層２０Ｂの層厚が２μｍである場合と１５μｍである場合とでは、異なる発熱量特性が得られる。すなわち、図４に示す例では、磁束の周波数が１０ｋＨｚ以上２２ｋＨｚ未満の範囲では、層厚２μｍの発熱層２０Ｂの発熱量は、層厚１５μｍの発熱層２０Ｂの発熱量に比べて大きい。そして、磁束の周波数が２２ｋＨｚのときには、層厚２μｍの発熱層２０Ｂと層厚１５μｍの発熱層２０Ｂとでは同じ発熱量を示す。一方、磁束の周波数が２２ｋＨｚを超えると、発熱量が逆転し、層厚２μｍの発熱層２０Ｂの発熱量は、層厚１５μｍの発熱層２０Ｂの発熱量に比べて小さくなる。
【００６４】
本実施の形態では、発熱層２０Ｂは、このような発熱層２０Ｂの発熱量特性を利用し、発熱層２０Ｂを、発熱層２０Ｂの層厚が表皮深さより薄く、且つ該表皮深さより薄い範囲内で層厚の異なる複数の領域を有するように構成する。本実施の形態では、このように表皮深さより薄い範囲内で、発熱層２０Ｂに層厚の異なる複数の領域を設けることで、印加される磁界の周波数に対する発熱量特性の異なる複数の領域が形成されることとなる。なお、使用する周波数の幅に対して、常に発熱層２０Ｂの全部の領域が表皮深さよりも薄いことが好ましい。
【００６５】
この発熱層２０Ｂの厚みは、定着ベルト２０の可撓性及び耐久性の向上、及び定着ベルトの熱容量低減による定着装置２８のウォームアップ時間の短縮の観点から、出来る限り薄くした方が好ましい。このため、表皮深さより薄い範囲内、且つ可撓性向上、耐久性向上、及びウォームアップ時間の短縮が図れる範囲内において、複数の層厚の異なる領域を調整することが好ましい。
なお、発熱層２０Ｂの層厚の取り得る範囲の上限値は、表皮深さ未満であればよいが、好ましくは、該上限値は、可撓性と耐久性の理由から１μｍ以上４０μｍ以下の範囲が好ましく、２μｍ以上２０μｍ以下の範囲が好ましい。そして、この層厚の範囲内で、発熱量特性の異なる複数の領域が形成されるよう層厚を調整すればよい。
【００６６】
本実施の形態では、上述のように、発熱層２０Ｂの発熱特性の異なる複数の領域として２種類の層厚の領域が設けられているとして説明する。そして、発熱層２０Ｂの層厚の薄い領域と層厚の厚い領域との各々の発熱量特性が、図４に示す関係を示すものとして説明する。すなわち、特定の周波数（図４では２２ｋＨｚ）の磁束が作用したときには厚みの異なる２種類の発熱量は同じであるが、該特定の周波数未満の磁束が作用した場合には一方の厚み（図４では１５μｍ）の領域の発熱量が他方の厚み（図４では２μｍ）の領域の発熱量より大きく、該特定の周波数（図４では２２ｋＨｚ）を超える磁束が作用した場合には、発熱量の関係が逆転して該一方の厚み（図４では１５μｍ）の領域の発熱量が他方の厚み（図４では２μｍ）の領域の発熱量より小さくなる、という関係を示しているとして説明する。
【００６７】
また、本実施の形態では、この発熱層２０Ｂの発熱特性の異なる２種類の層厚の領域として、図５に示すように、発熱層２０Ｂを、定着ベルト２０の軸方向両端部２０Ｂ２と、軸方向中央部２０Ｂ１と、を予め定めているとして説明する。そして、この軸方向両端部２０Ｂ２の厚みを２μｍとし、軸方向中央部２０Ｂ１の厚みを１５μｍとし、これらの発熱量特性が図４の関係を示すとして説明する。なお、図５中では、軸方向は矢印Ｘ方向で示した。
【００６８】
次に、この加熱装置３１の制御部２７Ａで実行される処理を説明する。
【００６９】
なお、メモリ２７Ｃには、発熱層２０Ｂに加えられる磁束の周波数を示す周波数情報と、発熱層２０Ｂ上の領域を識別するための領域識別情報と、該周波数情報の周波数の磁束が該領域に作用したときの発熱層２０Ｂの発熱量を示す発熱量情報と、が対応づけて記憶されているとする。
この領域識別情報としては、発熱層２０Ｂを層厚の異なる複数の領域から構成されている発熱層２０Ｂの全領域の内の、各層厚を示す領域を識別するための識別情報が定められる。本実施の形態では、上述のように、発熱層２０Ｂが軸方向両端部２０Ｂ２と軸方向中央部２０Ｂ１とで層厚の異なる２つの領域から構成されているものとしていることから、この
この領域識別情報としては、軸方向両端部を示す情報や、軸方向中央部を示す情報が定められる。
【００７０】
なお、上記周波数情報、領域識別情報、及び発熱量情報は、予め上記図４に示すような発熱量特性を、各領域（各層厚の領域）毎に予め測定し、領域識別情報に対応づけてメモリ２７Ｃに記憶しておけばよい。
【００７１】
画像形成装置４０の図示を省略する電源スイッチが操作されることによって装置各部に電極が供給されることで、加熱装置３１の装置各部にも電力が供給されると、制御部２７Ａでは図６に示す処理ルーチンが実行されて、ステップ１００へ進む。
【００７２】
ステップ１００では、ウォームアップ処理として、発熱層２０Ｂの軸方向両端部２０Ｂ２の発熱量が軸方向中央部２０Ｂ１の発熱量に比べて大きい周波数情報をメモリ２７Ｃから読取り、読み取った周波数情報の駆動周波数を示す信号を、発熱駆動部２６Ｂへ出力する。本実施の形態では、発熱層２０Ｂを、定着ベルト２０の軸方向両端部２０Ｂ２と、軸方向中央部２０Ｂ１と、を予め定めて、この軸方向両端部２０Ｂ２の厚みを２μｍとし、軸方向中央部２０Ｂ１の厚みを１５μｍとし、これらの発熱量特性が図４の関係を示すとして説明している。このため、ステップ１００では、例えば、発熱層２０Ｂの層厚２μｍの領域（軸方向両端部）の発熱量が、層厚１５μｍの領域（軸方向中央部）の発熱量に比べて大きくなる、磁束の周波数が２２ｋＨｚを超える周波数として、例えば、４０ｋＨｚを示す周波数情報の駆動周波数を示す信号が、発熱駆動部２６Ｂへ出力される。
【００７３】
該周波数情報の駆動周波数を示す信号を受け付けた発熱駆動部２６Ｂでは、該駆動周波数の周波数の交流電流を電磁誘導コイル２６Ａに印加する。この電磁誘導コイル２６Ａに交流電流が供給されると、電磁誘導コイル２６Ａの周囲に供給された交流電流の周波数の磁界が形成される。そしてこの周波数の磁界が発熱層２０Ｂに作用することで、該磁界の変化を妨げる磁界が生じるように発熱層２０Ｂに渦電流が流れる。この渦電流の電磁誘導作用によって発熱層２０Ｂが発熱する。
【００７４】
ここで、上記ステップ１００の処理によって、電磁誘導コイル２６Ａから形成される磁界の周波数は、発熱層２０Ｂの軸方向両端部２０Ｂ２の発熱量が軸方向中央部２０Ｂ１の発熱量より大きくなるような周波数である。このため、ステップ１００の処理によって、発熱層２０Ｂの軸方向両端部２０Ｂ２の発熱量が、軸方向中央部２０Ｂ１の発熱量より大きくなる。
【００７５】
従って、ステップ１００の処理によって、ウォームアップ時における発熱層２０Ｂの軸方向両端部領域の放熱による温度低下が抑制され、均一な温度分布を得ることができる。
【００７６】
なお、上記ステップ１００では、ウォームアップ処理として、発熱層２０Ｂの軸方向両端部２０Ｂ２の発熱量が軸方向中央部２０Ｂ１の発熱量に比べて大きい周波数情報をメモリ２７Ｃから読取り、読み取った周波数情報の駆動周波数を示す信号を、発熱駆動部２６Ｂへ出力したが、発熱層２０Ｂの軸方向両端部２０Ｂ２の発熱量が軸方向中央部２０Ｂ１の発熱量に比べて大きければ良く、どのような値を読み取っても良い。
【００７７】
例えば、ステップ１００で読み取る周波数情報として、例えば、発熱層２０Ｂの軸方向両端部２０Ｂ２の発熱量が予め定めた所望の発熱量となり、且つ発熱層２０Ｂの軸方向中央部２０Ｂ１の発熱量が両端部より小さく且つ所定の発熱量となる周波数情報をメモリ２７Ｃから読みとり、読み取った周波数情報の駆動周波数を示す信号を発熱駆動部２６Ｂへ出力してもよい。この場合には、さらに発熱層２０Ｂを、領域毎に所望の発熱量に発熱させることが可能となる。
【００７８】
次のステップ１０２では、上記ステップ１００で信号を出力してからウォームアップ時間が経過するまで否定判断を繰り返し、肯定されるとステップ１０４へ進む。
【００７９】
ステップ１０２の処理は、例えば、特定の周波数の磁束が発熱層２０Ｂに作用してから各領域がメモリ２７Ｃに記憶されている該周波数の周波数情報に対応する発熱量となるまでに要する時間をウォームアップ時間として予め測定してメモリ２７Ｃに記憶する。そして、このメモリ２７Ｃに記憶したウォームアップ時間を経過するまで否定判断を繰り返すようにすればよい。
【００８０】
なお、本実施の形態では、ステップ１０２では、ウォームアップ時間を経過するまで否定判断を行ったが、例えば、ベルト温度を検知するための検知部を、ベルトの一部にまたは複数部に検知可能に設けて、ベルト温度が、予め定められたウォームアップ終了温度まで上昇したことが検知されたときに、肯定判断するようにしてもよい。
【００８１】
次のステップ１０４では、ウォームアップ終了を示す終了信号を画像形成装置４０の制御部３３へ出力する。ウォームアップ終了を示す終了信号を受け付けた制御部３３は、画像形成装置４０で画像形成する対象の記録媒体の大きさ及び向きを示す記録媒体情報を加熱装置３１の制御部２７Ａへ出力する。
【００８２】
次のステップ１０６では、制御部３３から記録媒体情報を受信するまで否定判断を繰り返し、肯定されると、ステップ１０８へ進む。
【００８３】
ステップ１０８では、上記ステップ１０８で受信した記録媒体情報に含まれる記録媒体の大きさ及び向き（搬送向き）から、発熱層２０Ｂの複数の領域の内の発熱する対象の発熱領域を設定する。
【００８４】
ステップ１０８の処理は、例えば、上記ステップ１０８で受信した記録媒体情報に含まれる記録媒体の大きさ及び向きを示す情報に基づいて、該記録媒体が画像形成装置４０において搬送されて定着装置２８の定着ベルト２０と加圧ロール２２とのニップ領域に達して挟持搬送されたときに、定着ベルト２０の複数の領域の内の何れの領域を通過するかを導出し、該記録媒体の通過する領域を発熱する対象の発熱対象領域として設定する。
【００８５】
この定着ベルト２０の複数の領域の内の何れの領域を通過するかを導出する方法としては、例えば、予めメモリ２７Ｃに記録媒体の大きさ及び向きを含む記録媒体情報に対応づけて、定着ベルト２０の複数の領域の内の該大きさ及び向きの記録媒体が通過する領域を示す領域情報を予め記憶する。そして、上記ステップ１０６で受け付けた記録媒体情報に対応する領域情報をメモリ２７Ｃから読み取ることによって発熱対象領域を読取り、設定すればよい。
なお、この記録媒体情報に対応する領域情報は、予め様々な大きさの記録媒体が画像形成装置４０において様々な向きで搬送されて定着装置２８の設けられた位置に到ったときに、定着ベルト２０の複数の領域の内の何れの領域を通過するかを実験して、実験結果に基づいて予めメモリ２７Ｃに記憶すればよい。
【００８６】
例えば、上記ステップ１０８の処理によって、例えば、記録媒体情報が定着ベルト２０の軸方向の概ね全領域を覆う大きさであることを示す場合には、発熱層２０Ｂの全領域、すなわち、軸方向両端部２０Ｂ２及び軸方向中央部２０Ｂ１の双方の領域が、発熱対象領域として設定される。
なお、本実施の形態では、上記ステップ１０６において、制御部３３から記録媒体情報を受信する場合を説明するが、制御部３３から直接発熱対象領域を示す情報を受信してもよい。この場合には、上記ステップ１０８の処理では、受信した領域を発熱対象領域として設定すればよい。
【００８７】
本実施の形態では、ステップ１０８では、記録媒体の大きさに応じて発熱層２０Ｂの複数の領域（軸方向両端部２０Ｂ２、軸方向中央部２０Ｂ１）の内の、全領域が設定される場合と、軸方向中央部が設定される場合と、の２パターンが設定される場合を説明する。なお、本実施の形態では、ステップ１０８では、この２パターンが設定される場合を説明するが、軸方向両端部を発熱対象領域として更に設定可能に構成してもよく、２パターンに限られない。
【００８８】
次のステップ１１０では、上記ステップ１０８で設定した発熱対象領域が、全領域であるか中央部であるかを判断し、発熱対象領域が発熱層２０Ｂの全領域である場合には、ステップ１１１へ進む。
【００８９】
ステップ１１１では、軸方向両端部２０Ｂ２及び軸方向中央部２０Ｂ１の双方の領域の発熱量が同じとなる周波数を示す周波数情報をメモリ２７Ｃから読取り、読み取った周波数情報の駆動周波数を示す信号を、発熱駆動部２６Ｂへ出力する。
本実施の形態では、ステップ１１１では、発熱層２０Ｂの層厚２μｍの領域（軸方向両端部）と層厚１５μｍの領域（軸方向中央部）とでは同じ発熱量を示す、磁束の周波数である２２ｋＨｚを示す周波数情報の駆動周波数を示す信号が、発熱駆動部２６Ｂへ出力される。
【００９０】
該周波数情報の駆動周波数を示す信号を受け付けた発熱駆動部２６Ｂでは、該駆動周波数の周波数の交流電流を電磁誘導コイル２６Ａに印加する。この電磁誘導コイル２６Ａに交流電流が供給されると、電磁誘導コイル２６Ａの周囲に供給された交流電流の周波数の磁界が形成される。そしてこの周波数の磁界が発熱層２０Ｂに作用することで、該磁界の変化を妨げる磁界が生じるように発熱層２０Ｂに渦電流が流れる。この渦電流の電磁誘導作用によって発熱層２０Ｂが発熱する。
【００９１】
ここで、上記ステップ１１０の処理によって、電磁誘導コイル２６Ａから形成される磁界の周波数は、発熱層２０Ｂの軸方向両端部２０Ｂ２と軸方向中央部２０Ｂ１との発熱量が同じとなるような周波数である。このため、ステップ１１０の処理によって、発熱層２０Ｂの軸方向両端部２０Ｂ２と、軸方向中央部２０Ｂ１と、が同じ発熱量発熱する。このため、発熱層２０Ｂの全領域が均一に同じ発熱量で発熱される。
【００９２】
一方、記ステップ１０８で設定した発熱対象領域が、全領域であるか中央部であるかを判断し、発熱対象領域が発熱層２０Ｂの軸方向中央部である場合には、ステップ１１２へ進む。
【００９３】
ステップ１１２では、発熱層２０Ｂの軸方向中央部２０Ｂ１の発熱量が軸方向両端部２０Ｂ２の発熱量に比べて大きい周波数情報をメモリ２７Ｃから読取り、読み取った周波数情報の駆動周波数を示す信号を、発熱駆動部２６Ｂへ出力する。
本実施の形態では、ステップ１１２では、例えば、発熱層２０Ｂの層厚１５μｍの領域（軸方向中央部）の発熱量が、層厚２μｍの領域（軸方向両端部）の発熱量に比べて大きくなる、磁束の周波数が２２ｋＨｚ未満の周波数として、例えば、１３ｋＨｚを示す周波数情報の駆動周波数を示す信号が、発熱駆動部２６Ｂへ出力される。
【００９４】
該周波数情報の駆動周波数を示す信号を受け付けた発熱駆動部２６Ｂでは、該駆動周波数の周波数の交流電流を電磁誘導コイル２６Ａに印加する。この電磁誘導コイル２６Ａに交流電流が供給されると、電磁誘導コイル２６Ａの周囲に供給された交流電流の周波数の磁界が形成される。そしてこの周波数の磁界が発熱層２０Ｂに作用することで、該磁界の変化を妨げる磁界が生じるように発熱層２０Ｂに渦電流が流れる。この渦電流の電磁誘導作用によって発熱層２０Ｂが発熱する。
【００９５】
ここで、上記ステップ１１２の処理によって、電磁誘導コイル２６Ａから形成される磁界の周波数は、発熱層２０Ｂの軸方向中央部２０Ｂ１の発熱量が軸方向両端部２０Ｂ２の発熱量より大きくなるような周波数である。このため、ステップ１１２の処理によって、発熱層２０Ｂの軸方向中央部２０Ｂ１の発熱量が、軸方向両端部２０Ｂ２の発熱量より大きくなる。
【００９６】
このため、発熱層２０Ｂの全領域の内の記録媒体の通過する領域以外の領域（所謂、非通紙領域）の発熱量の上昇が抑えられ、連続定着動作時の発熱層２０Ｂの過度な昇温が抑制される。
【００９７】
次のステップ１１４では、設定済を示す信号を画像形成装置４０の制御部３３へ出力した後に本ルーチンを終了する。
【００９８】
加熱装置３１から設定済を示す信号を受け付けた画像形成装置４０の制御部３３では、従来公知の画像形成処理を行うものとする。このとき、定着装置２８では、上記ステップ１００〜ステップ１１４の処理によって定着ベルト２０の発熱層２０Ｂが形成対象の記録媒体が通過する領域に応じて発熱した状態とされている。このため、定着装置２８では、形成対象の記録媒体が通過する領域に応じて発熱層２０Ｂが発熱しており、定着ベルト２０から記録媒体にかかる熱が不均一となったり、定着ベルト２０の温度がトナーを記録媒体に定着させるたには高温すぎる温度となったりすることが抑制される。また、非通紙部の過度な昇温による、ベルトの熱劣化の加速や、非通紙部と通紙部の温度差の増大に起因する熱機械的なストレスによるベルトの変形、破壊等の故障を抑制することが出来る。
【００９９】
以上説明したように、本実施の形態の加熱装置３１によれば、定着ベルト２０を、発熱層２０Ｂを含む構成とし、この発熱層２０Ｂを、電磁誘導コイル２６Ａによって発生した磁界が侵入可能な厚さである表皮深さよりも薄く、且つ該表皮深さより薄い範囲内で層厚の異なる複数の領域を有するように構成することで、印加される磁界の周波数に対する発熱量特性の異なる複数の領域を形成する。このように、発熱層２０Ｂの厚みが表皮深さより薄いので、発熱層２０Ｂを出来る限り薄く構成することが可能となり、該発熱層２０Ｂを含む定着ベルト２０の可撓性や、繰り返し屈曲等による耐久性の向上が図れる。
また、該定着ベルト２０について、電磁誘導コイル２６Ａによって発生した磁界の周波数を制御することにより、発熱層２０Ｂの複数の領域の内の最大の発熱量を示す領域が調整されるので、簡易な構成で定着ベルト２０の発熱層２０Ｂの発熱量分布が調整される。
【０１００】
なお、本実施の形態では、発熱層２０Ｂの発熱特性の異なる２種類の層厚の領域として、図５に示すように、発熱層２０Ｂを、定着ベルト２０の軸方向両端部２０Ｂ２と、軸方向中央部２０Ｂ１と、を予め定めて軸方向両端部２０Ｂ２の厚みを２μｍとし、軸方向中央部２０Ｂ１の厚みを１５μｍとし、これらの発熱量特性が図４の関係を示すとして説明したが、発熱層２０Ｂの発熱特性の異なる領域は３種類以上であってもよい。また、発熱層２０Ｂの発熱特性の異なる領域は、定着ベルト２０の軸方向に異なる領域に限られない。また、軸方向両端部２０Ｂ２の厚みを２μｍとし、軸方向中央部２０Ｂ１の厚みを１５μｍとして、軸方向両端部２０Ｂ２の厚みが軸方向中央部２０Ｂ１の厚みより薄い場合を説明したが、異なる領域間で発熱量特性が異なっていれば良く、このような形態に限られない。例えば、軸方向両端部２０Ｂ２の厚みが軸方向中央部２０Ｂ１の厚みより厚い形態であってもよい。
【実施例】
【０１０１】
以下、本発明の実施例を説明する。但し、実施例で用いた本発明の定着ベルトの作製方法は以下の例のみに限定されるわけではない。
【０１０２】
（実施例１）
―定着ベルトの作製―
定着ベルトとして、まず、ポリイミド樹脂（商品名：Ｕワニス−Ｓ、宇部興産製）を用いて膜厚６０μｍ、外径３０ｍｍの無端状ベルト状の基材を用意した。
【０１０３】
この基材の外周面に、アルカリエッチング処理を行い、洗浄し、外周面に無電解ニッケル処理を行ってニッケル層を０．５μｍ形成した。次にこの無電解ニッケル膜を電極として、この上に電解メッキ処理により膜厚２μｍの銅層（発熱層２０Ｂ）を形成した。
【０１０４】
この後、この無端ベルト上の基材の軸方向（幅方向）の中央部２１０ｍｍの領域外の両端部にマスキング処理を施し、さらに電解メッキ処理を行う事により、非マスキング部（軸方向中央部）の銅層の層厚が１５μｍ、マスキング部（軸方向両端部）の銅層の層厚が２μｍの銅層（発熱層２０Ｂ）を形成した。
【０１０５】
なお、上記電解メッキ処理の条件として、使用したメッキ液は、硫酸銅（７０ｇ／Ｌ）、硫酸（２００ｇ／Ｌ）、塩酸（５０ｍｇ／Ｌ）からなり、液温３０℃、電流密度は０．２Ａ／ｄｍ２とした。
【０１０６】
続いて、上記銅層（発熱層２０Ｂ）の表面に、ＪＩＳ−Ｋ６２５３（１９９７）に準拠したタイプＡデュロメータで規定されるデュロメータ硬さがＡ３５となるように調整された液状シリコーンゴム（ＫＥ１９４０−３５、液状シリコーンゴムＡ３５品、信越化学工業社製）を膜厚が２００μｍとなるように塗布し、乾燥させることにより、乾燥状態の液状シリコーンゴム層である弾性層を設けた。
【０１０７】
上記の乾燥状態の液状シリコーンゴム層の表面にＰＦＡディスパージョン（５００ＣＬ、三井・デュポンフロロケミカル社製）を膜厚３０μｍとなるように塗布し、３８０℃で焼成することにより、定着ベルトを得た。
【０１０８】
―評価―
前記作製した定着ベルトを、図２に示す加熱装置３１を備え付けた画像形成装置（富士ゼロックス製、Ｄｏｃｕ  Ｐｒｉｎｔ  Ｃ６２０）に取りつけた。次に、この画像形成装置及び定着装置を用いて、上記図６に示す処理ルーチンを実行させて、小サイズ用紙（ＪＤ紙、Ａ４サイズ、縦送り）にて連続５００枚通紙した際の、ウォームアップ後の定着ベルトの中央部と端部の温度と、連続５００枚通紙直後の定着ベルトの通紙部と非通紙部の温度を測定し、ウォームアップ時の温度分布の均一性評価と、非通紙部の過昇温評価を実施した。その結果、ウォームアップ後の中央部は１７５℃、端部は１７８℃であり温度均一性の向上が観察された。また、連続５００枚通紙直後通紙部は１７２℃、非通紙部は２０５℃となり、非通紙部の過昇温の抑制が観察された。
【０１０９】
さらに、定着ベルトを電磁誘導加熱した状態で、連続して空回転させる耐久評価を実施し、定着ベルトの発熱維持性について評価した。その結果、２００時間空回転させた後でも、発熱層の亀裂や永久変形による発熱不良は発生せず、安定した電磁誘導加熱による定着が観察された。なお、発熱不良発生までの時間が１００時間以上であれば、実使用上においても十分な耐久性を有するものといえる。
【０１１０】
また、定着ベルトについて可撓性の評価を行った。
この可撓性評価は、定着ベルトと加圧ロールの接触部（ニップ部）において、定着ベルトに凹部（図２中、Ｃ参照）が形成され、該凹部の両側に凸部（図２中、Ｄ参照）が形成される時に、定着ベルトに生じる歪みを測定して評価した。なお、この歪みが小さすぎると記録用紙の剥離性能が十分に確保できない。
【０１１１】
歪み測定は、定着ベルトの加圧ロールとのニップ部内でのベルト変形による外周表面歪みを測定することにより行った。凹部Ｃでは圧縮歪み、凸部Ｄでは引っ張り歪みが定着ベルトに発生する。このため、歪み測定は、歪みゲージ（共和電業製）をフレキシブルシートに接着したセンサーにより、外力を与えない状態の定着ベルトの曲率を基準にして凹部Ｃと凸部Ｄの歪みを測定した。
【０１１２】
歪み測定の判定は、定着ベルトのニップ部内の軸方向すべてに亘って引っ張り歪み≧０．２％、圧縮≧０．２％となれば記録用紙の剥離性能が十分に確保できる程度に良好であると判別し、ニップ部内の軸方向の一部でこの条件を満たさない箇所がある場合は一部不良とし、ニップ部内の軸方向すべてでこの条件を満たさない場合は不良として扱う。
実施例１で調整した定着ベルトについては、歪み測定の判定としては、良好な結果が得られた。
【０１１３】
（比較例１）
―定着ベルトの作製―
実施例１において、メッキ時のマスキング処理を行わずに、ベルト全域に１０μｍの銅層を形成した以外は、実施例１と同様に作製した。
【０１１４】
―評価―
前記作製した定着ベルトを、実施例１と同様な評価を行った結果、ウォームアップ後の中央部は１７５℃、端部は１５０℃であり温度分布がついていた。また、連続５００枚通紙直後通紙部は１７２℃、非通紙部は２３５℃となり、非通紙部の大きな過昇温が観察された。
また、耐久性と可撓性については、実施例１と同等の結果であった。
【０１１５】
（比較例２）
―定着ベルトの作製―
比較例１において、中央部の発熱層の厚さを３０μｍ、非マスキング部の厚さを７５μｍとした以外は、比較例１と同様に作製した。
【０１１６】
―評価―
前記作製した定着ベルトを、実施例１と同様な評価を行った結果、ウォームアップ時に終了後の温度分布と非通紙部昇温は、実施例１と同様の結果であった。
しかし、可撓性については、引っ張り歪みが最大０．１％、圧縮が最大０．１５％であり、用紙が剥離出来ずに、ベルトに用紙が巻きついてしまった。
さらに、この状態で耐久性評価を行った結果、４５時間で発熱層の両端部に割れによる発熱不良が発生し、耐久性も不十分であった。
【図面の簡単な説明】
【０１１７】
【図１】本実施形態における画像形成装置の一形態を示す模式図である。
【図２】本実施形態における加熱装置及び定着装置を示す拡大模式図である。
【図３】本実施形態における定着ベルトの断面図である。
【図４】本実施形態における発熱量特性を示す線図である。
【図５】本実施形態における定着ベルトの発熱層を示す模式図である。
【図６】本実施形態における制御部で実行される処理を示すフローチャートである。
【符号の説明】
【０１１８】
２０   定着ベルト
２０Ｂ 発熱層
２６   磁界発生装置
２６Ａ 電磁誘導コイル
２６Ｂ 発熱駆動部
２７Ａ 制御部
２７Ｂ 入出力部
２８   定着装置
３１   加熱装置
３３   制御部
４０   画像形成装置
【図１】
2010182572.tif 000006
【図２】
2010182572.tif 000007
【図３】
2010182572.tif 000008
【図４】
2010182572.tif 000009
【図５】
2010182572.tif 000010
【図６】
2010182572.tif 000011